(57)【特許請求の範囲】
【請求項１】
肩部を介して口頸部を起立する容器体と、
口頸部内面へ嵌着されて容器体上部内へ垂下するしごき筒部材と、
口頸部外面へ嵌合させたキャップ内から容器体内へ塗布棒を垂下する塗布部材とからなる塗布棒付き容器において、
上記しごき筒部材21を弾性筒で形成して、上端に外向きフランジ23を、下部に口頸部内径よりも大径の大外径部24を、内面一部に絞り筒25を、それぞれ付設し、
口頸部上端面へ外向きフランジ23を係合させると共に口頸部の下端面へ大外径部24上面を係合ないし近接させ、
上記大外径部24内面を、下向き段部27と上向き段部28とを上下に連続する大内径部26として、該大内径部内面へ弾性リング29を嵌着させたことを特徴とする塗布棒付き容器。
【発明の詳細な説明】
【０００１】
【発明の属する技術分野】
本発明はマスカラ容器等の塗布棒付き容器に関する。
【０００２】
【従来の技術】
例えば特開2001-46144号のように、肩部を介して口頸部を起立する容器体と、口頸部内面へ嵌着されて、容器体内へ垂下するしごき筒部材と、口頸部外面へ螺合させたキャップ内から容器体内へ塗布棒を垂下する塗布部材とからなる塗布棒付き容器が知られている。
【０００３】
【発明が解決しようとする課題】
上記しごき筒部材には、塗布棒に付着した過剰の液体を取除くための絞り筒が付設してあるから、そのしごき筒部材を確実に容器体口頸部内へ装着させておかないと、塗布部材抜出しの際に、しごき筒部材が塗布棒と共に抜け出すことがある。
【０００４】
このような欠点除去のためにしごき筒部材上端に付設した外向きフランジを口頸部上端面へ係合させ、かつしごき筒部材の下部に口頸部内径よりも大径の大外径部を設けて該大外径部上面を口頸部下端が形成する下向き段部へ係合させることが行われているが、このようにすると、しごき筒部はゴム状の弾性材で形成しているから、次第にその大外径部の強度が低下し、そのため上記と同様に塗布部材抜出しの際に塗布棒と共に抜出すことがある。
【０００５】
本発明はそのような欠点を除去するものである。
【０００６】
【課題を解決するための手段】
第１の手段として、肩部を介して口頸部を起立する容器体と、
口頸部内面へ嵌着されて容器体上部内へ垂下するしごき筒部材と、
口頸部外面へ嵌合させたキャップ内から容器体内へ塗布棒を垂下する塗布部材とからなる塗布棒付き容器において、
上記しごき筒部材21を弾性筒で形成して、上端に外向きフランジ23を、下部に口頸部内径よりも大径の大外径部24を、内面一部に絞り筒25を、それぞれ付設し、
口頸部上端面へ外向きフランジ23を係合させると共に口頸部の下端面へ大外径部24上面を係合ないし近接させ、
上記大外径部24内面を、下向き段部27と上向き段部28とを上下に連続する大内径部26として、該大内径部内面へ弾性リング29を嵌着させた。
【０００８】
【発明の実施の形態】
以下図１と図２とが示す第１実施形態について説明すると、１は胴部上端から上下二段に設けた肩部２, ２を介して口頸部３を起立する容器体である。
【０００９】
その容器体上部内へは、しごき筒部材を嵌合させている。該しごき筒部材については後述する。
【００１０】
11は塗布部材で、該部材はキャップと該キャップ内から垂下させた塗布棒とで形成する。
【００１１】
キャップ12は、頂壁外周から垂設した周壁13下部を口頸部３外面へ螺合させ、又その周壁上部内から塗布棒14を垂下し、塗布棒下部をブラシで形成した塗布部15としている。又塗布棒の上部には、下部小径で上部大径のテーパ状突部16を付設している。該突部下端は小外径部17とすることが望ましい。
【００１２】
既述しごき筒部材21はゴム、エラストマー等の弾性材で形成し、その筒22上端に外向きフランジ23を付設し、その外向きフランジを容器体口頸部の上端面へ係合させて口頸部内面へ嵌合させ、又、その外向きフランジおよび下部を除く筒部分を口頸部３の内面へ緊密に嵌合させ、筒下部に口頸部内径よりも大外径の大外径部24を設けて該大外径部上面を口頸部下端面へ係合ないし近接させ、更に筒22中間部分内面に斜下内方へ傾斜する、内向きフランジ状の絞り筒25を付設している。
【００１３】
該絞り筒25は、図２が示すように、キャップ周壁を口頸部外面へ螺合させて締付けしたとき、その絞り筒25の上面へ既述テーパ状突部16外面が水密に圧接するよう設けており、又その絞り筒の下端内径は、塗布棒14外径とほぼ等しく、塗布部15外径よりも小径としている。
【００１４】
上記大外径部24は、その内面を大内径部26とし、その大内径部の上下には下向き段部27と上向き段部28とを連続させ、その大内径部26内へは、図３が示すような合成樹脂製等の弾性リング29を嵌合させる。図３Ａが示すリングは短筒状であり、図３Ｂはその短筒一部を切除してＣ字形状としたものであり、図３Ｃが示すリングは短かく設けたコイル状のリングとしている。
【００１５】
尚上記大外径部24に対する弾性リング29の取付けは、図示例のほか、どのように行ってもよく、例えば大外径部外面へリング29を適宜方法で固着させてもよい。
【００１６】
図４は第１実施形態の変形例を示す。該変形例では、絞り筒25を、しごき筒部材の筒部下端に付設している。このように形成する場合は、塗布棒14外面へ付設するテーパ状突部16も下方に設け、上記絞り筒25上面へ圧接できる位置に設ける。
【００１７】
口頸部３内へのしごき筒部材21の装着は、リング29および大外径部24を弾性変形させて口頸部３内へ押込み、そのまま強制的に口頸部下方まで押下げて行う。
【００１８】
上記構成とした容器は、図１のように容器体口頸部へキャップ12を締め付けて塗布棒14を容器体内へ垂下させた状態から、キャップを螺脱し、塗布部材11を引抜いて使用するが、その引抜き時、塗布棒14外面へ絞り筒25内縁が接して塗布棒に付着する液体をそぎ落し、又その絞り筒内縁が塗布部15を弾性変形で小外径化させ、通過させることで、該塗布部に付着する過剰の液体を除去する。
【００１９】
塗布終了後、再装着により絞り筒25上面とテーパ状突部16下面とが、又しごき筒部材の外向きフランジ23上面と塗布棒14上端の外向きフランジ部分17下面とが、それぞれ水密に接して、容器が倒れた場合の液洩れを防止する。
【００２０】
【発明の効果】
本発明は既述構成とするものであり、請求項１記載のようにすることで、ゴム等の弾性材で形成するしごき筒部材21の強度が弱まって、口頸部下端内面へ係合等する大外径部24が変形し易くなっても、その大外径部には別に設けた弾性リング29を装着させているから、該弾性リングが大外径部24を補強し、よって塗布棒14引抜き時にしごき筒部材21がその塗布棒と共に抜け出ることを防止することが出来る。
【００２１】
さらに、請求項１のようにすることで、上記大外径部24への弾性リング29の装着を容易に行うことが出来る。
【図面の簡単な説明】
【図１】  本発明容器の判断面図である。
【図２】  図１要部の拡大断面図である。
【図３】  しごき筒部材に付設させる弾性リングを変形例で示す斜視図である。
【図４】  図２の変形例を示す拡大断面図である。
【符号の説明】
１…容器体                    11…塗布部材
12…キャップ                  14…塗布棒
21…しごき筒部材              24…大外径部
25…絞り筒                    26…大内径部
29…リング
【図１】
0004398630.tif 000002
【図２】
0004398630.tif 000003
【図３】
0004398630.tif 000004
【図４】
0004398630.tif 000005